(57)【要約】      （修正有）【課題】紙の厚みが１．０ｍｍ以下の薄いものを対象にし、破損の恐れなく切断面が平滑になるようにした紙を切目線で切断する方法及びこれに使用される紙器またはシートからなる紙を提供する。【解決手段】紙器１またはシートからなる紙を切目線で切断する方法において、紙の厚みが１．０ｍｍ以下のものであり、切目線として表側からの上半切れ線２３に裏側からの下半切れ線２４を１．０〜３．５ｍｍ間隔で平行に入れて切断面を平滑にする工程と、表側に捲って両半切れ線２３，２４の間隔に抗して切断する工程と、切断面２７が表側に上半切れ線２３のみを生ずる工程とした紙を切目線で切断する方法と、切断面が表側には上半切れ線を裏側には下半切れ線の縁取りが生ずる工程とした紙を切目線で切断する方法とそれ等の紙を構成する。【選択図】図３
2008178970.tif 000002
【特許請求の範囲】
【請求項１】
紙器またはシートからなる紙を切目線で切断する方法において、紙の厚みが１．０ｍｍ以下のものであり、前記切目線として表側からの上半切れ線と裏側からの下半切れ線に１．０〜３．５ｍｍ間隔で平行に入れて切断面を平滑にする工程と、前記表側を捲って両半切れ線の間隔に抗して切断する工程と、前記切断面が表側に上半切れ線のみを生ずる工程からなることを特徴とする紙を切目線で切断する方法。
【請求項２】
紙器またはシートからなる紙を切目線で切断する方法において、紙の厚みが１．０ｍｍ以下のものであり、前記切目線として表側からの上半切れ線と裏側からの下半切れ線を１．０〜３．５ｍｍ間隔で平行に入れて切断面を平滑にする工程と、該切断面が表側には上半切れ線を裏側には下半切れ線の縁取りが生ずる工程からなることを特徴とする紙を切目線で切断する方法。
【請求項３】
切目線で切断する紙器またはシートからなる紙において、紙の厚みが１．０ｍｍ以下のものであり、前記紙に切目線として表側からの上半切れ線と裏側からの下半切れ線を１．０〜３．５ｍｍ間隔で平行に設け、前記切断面は表側が上半切れ線のみとしたことを特徴とする切目線で切断する紙。
【請求項４】
切目線で切断する紙器またはシートからなる紙において、紙の厚みが１．０ｍｍ以下のものであり、前記紙に切目線として表側からの上半切れ線と裏側からの下半切れ線を１．０〜３．５ｍｍ間隔で平行に設け、前記切断面は表側に上半切れ線を、裏側に下半切れ線を縁取りしたことを特徴とする切目線で切断する紙。
【請求項５】
表側または裏側に施した商品説明等の印刷面が、切断後も確認しうるようにした請求項３または請求項４に記載の切目線で切断する紙。
【請求項６】
紙器が、上半部を切断して切り離し、下半部をトレ−状の展示用箱とした請求項３または請求項４記載の切目線で切断する紙。
【請求項７】
紙器が、取出口を切断するティッシュペーパー箱とした請求項３または請求項４記載の切目線で切断する紙。
【請求項８】
シートが、プラスター包装の台紙とした請求項３または請求項４記載の切目線で切断する紙。
【請求項９】
シートが、切断面を直線または曲線からなる各種形状のものとした請求項３または請求項４記載の切目線で切断する紙。
【発明の詳細な説明】
【技術分野】
【０００１】
本発明は、切目線で切断する方法と切目線で切断された紙に係るものであり、更に詳しくは、紙器またはシートからなる紙を切目線で切断して紙器を開封またはシートを分離する方法と、その紙器またはシートの紙に関するものである。
【背景技術】
【０００２】
紙器の簡易開封方法及び箱体としては、箱にミシン目乃至ジッパーの切目線を入れ、その部分から切断した箱体が公知である（例えば特許文献１）。
【特許文献１】実開平７−４３１３号公報
【０００３】
一方、店頭にて紙器の上半部を開口し、下半部をトレーにして内部の商品を展示する展示兼用紙器も公知である（例えば特許文献２）。
【特許文献２】特開２００４−２６２５１０号公報
【０００４】
展示兼用紙器や収納用紙器や切抜用シートの場合には、切断面を平滑に保ちたい。しかし、ジッパーでは、切目線がジグザグになっているため、切断面が鋸状になって平滑な面が得られない。またミシン目でも、切目線が破線状になっているので、破線間が不揃いの凹凸になり、直線状の切断面を得ることはできない。
【０００５】
その点、直線状からなる切目線としては、ハーフカットの切目線（例えば特許文献３）、または表半切れ線と裏半切れ線からなる切目線のものが公知である（例えば特許文献４）。
【特許文献３】特開２００２−１２７０９６号公報
【特許文献４】特開２００４−２６２８２号公報
【０００６】
しかし、特許文献３に記載のものは、ハーフカット用シートから、不要シート部を引き剥がすのに、端部を粘着体で保持して剥離するものである。また特許文献４に記載のものは、粉末洗剤という重い収容物を入れるための紙器に関するものである。そのために、粉末洗剤の重さに耐えられるよう、紙の厚さは少なくとも２ｍｍ厚以上が必要なものを対象にしている。即ち、切目線となる表半切れ線と裏半切れ線を予め付設しておくというこの技術は、このように厚い紙を対象にして、始めてなしうる技術であることが常識となっている。また、特許文献４の場合には、表半切れ線と裏半切れ線の間隔が、安全上４ｍｍ以上必要と考えられるが、これも特に考慮はなされていない。そして特許文献４は、切断面は平滑さより、層間剥離による密閉さを要求している。これは、厚地の紙からなるために、リボン状に切断した上部を、蓋として使用するため、その後に切断面同士の上下を合わせる際の密閉さを重視している。しかし、これが薄い紙を対象にすれば、切断面はしなやかなものに止まるので、切断面同士を合わせて密閉させることなど到底考えられない。
【０００７】
即ち本発明は、例えば紙器の場合は単３形乾電池等の小さな収納物を少量入れるための軽量容器等を対象にしている。そのため、紙の厚みは最大でも１．０ｍｍ以下の薄い紙に限られる。この特徴である薄い紙に対して、表と裏からの半切れ線を付設するという技術は、厚紙とは異なって高度なものである。また、本発明の紙器は展示兼用のものもあり、さらにシートは分離してキャラクタ等に供されるものもあるので、切断面はその構成や、平滑性が特に要求される。そのゆえ半切れ線同士の間隔は、３．５ｍｍ以下のものにして、層間剥離を押さえる必要がある。
【発明の開示】
【発明が解決しようとする課題】
【０００８】
上記の事情に鑑み、本発明は、紙の厚みが１．０ｍｍ以下の薄いものを対象にし、破損の恐れなく切断面が平滑になるようにした紙を切目線で切断する方法及びこれに使用される紙器またはシートからなる紙を課題とする。
【課題を解決するための手段】
【０００９】
本発明は、上記目的を達成するために、紙器またはシートからなる紙を切目線で切断する方法において、紙の厚みが１．０ｍｍ以下のものであり、前記切目線として表側からの上半切れ線に裏側からの下半切れ線を１．０〜３．５ｍｍ間隔で平行に入れて切断面を平滑にする工程と、該表側に捲って両半切れ線の間隔に抗して切断する工程と、該切断面が表側に上半切れ線のみを生ずる工程からなる紙を切目線で切断する方法を構成するものである。
【００１０】
また本発明は、上記目的を達成するために、紙器またはシートからなる紙を切目線で切断する方法において、紙の厚みが１．０ｍｍ以下のものであり、前記切目線として表側からの上半切れ線と裏側からの下半切れ線を１．０〜３．５ｍｍ間隔で平行に入れて切断面を平滑にする工程と、該切断面が表側には上半切れ線を裏側には下半切れ線の縁取りが生ずる工程からなる紙を切目線で切断する方法を構成するものである。
【００１１】
さらに本発明は、上記目的を達成するために、切目線で切断する紙器またはシートからなる紙において、紙の厚みが１．０ｍｍ以下のものであり、前記紙に切目線として表側からの上半切れ線と裏側からの下半切れ線を１．０〜３．５ｍｍ間隔で平行に設け、前記切断面は表側が上半切れ線のみとした切目線で切断する紙を構成するものである。
【００１２】
さらにまた本発明は、上記目的を達成するために、切目線で切断する紙器またはシートからなる紙において、紙の厚みが１．０ｍｍ以下のものであり、前記紙に切目線として表側からの上半切れ線と裏側からの下半切れ線を１．０〜３．５ｍｍ間隔で平行に設け、前記切断面は表側に上半切れ線を、裏側に下半切れ線を縁取りした切目線で切断する紙を構成するものである。
【発明の効果】
【００１３】
本発明の紙を切目線で切断する方法及びその紙による切断面は、ジッパーやミシン目のように引き千切ったカットラインにはならず、一本の線になって平滑に保たれる。
【００１４】
本発明の紙を切目線で切断する方法及びその紙は、切断面が平滑になるため、各種の紙器やシートとして、そのまま使用しても支障なく、またディスプレー用やキャラクタ用としても、有効に利用することができる。
【００１５】
本発明の紙を切目線で切断する方法及びその紙は、表側の上半切れ線と裏側下半切れ線に一定の間隔を保つようにしているので、輸送中に破損する恐れはない。
【００１６】
本発明の紙を切目線で切断する方法及びその紙は、切断面を表側から入れる上半切れ線と、裏側から入れる下半切れ線の２種からなっているので、印刷面の要求に合わせ上半切れ線と下半切れ線の位置や、切断方向を適宜選択することができる。
【００１７】
本発明のシートがプリスター包装台紙の場合、裏面に細かい取扱説明や商品説明等が印刷されていると、最終消費者のもとで商品を取り出して切断した後の判別に際し、切断面は綺麗なので、印刷の活字は細部まで消滅することなく確認することができる。
【００１８】
本発明のシートがプリスター包装台紙の場合、切断した際に、切断面が半切れ線によって被包装物を把持するため、取出し時に被包装物を落下させる事故は解消した。
【００１９】
本発明の切断後のカット面は、薄い紙の厚さの１／２になる。そのために、カット面はしなやかであり、従来のように紙で手を切る恐れはなくなった。
【発明を実施するための最良の形態】
【００２０】
以下、本発明の実施例を図面に基づいて詳しく説明する。
【実施例１】
【００２１】
実施例１は、請求項１、請求項３、請求項６に関するものである。図１は、本発明の切目線で切断する紙器の一実施例を示す展開図、図２は、本発明の切目線で切断する紙器を組み立てた状態を示す斜視図、図３は、本発明の切目線で切断する紙器の上半部を開口切断する過程を示す斜視図、図４は、本発明の切目線で切断する紙器をトレ−状の下半部にて内部の商品を展示する状態を示す斜視図、図５は、図４のトレ−状下半部の切断面を示す拡大斜視図である。
【００２２】
本実施例の切目線で切断する紙器１は、展開状態の図１に示すように、１ピースの台紙２からなり、組み上がった状態で六面体にするものである。本実施例の紙器の厚みは、０．４５ｍｍである。この紙器の厚みは、本発明の場合、少なくとも１．０ｍｍ以下のものを対象にしている。１．０ｍｍ以下の薄いものでなければ、平滑でしなやかな切断面は望めない。図１では台紙２の右側面部３の左方向に、折目４を介して前側面部５を、また折目６を介して左側面部７を、更に折目８を介して後側面部９を、更にまた折目１０を介して糊代片部１１を連接している。
【００２３】
右側面部３の上下には折目１２ａ，１２ｂを介して右フラップ部１３ａ、右底面部１４ａを連接している。また前側面部５の下には折目１５を介して前係止底面部１６ａを連接している。さらに左側面部７の上下には折目１７ａ，１７ｂを介して左フラップ部１３ｂ、左底面部１４ｂを連接している。そして後側面部９の上下には折目１８ａと１８ｂ，１８ｃを介して蓋面部１９と差込片部２０、後係止底面部１６ｂを連接している。そしてまた、前後係止底面部１６ａ，１６ｂの左右底面部１４ａ，１４ｂ側には折目２１ａ，２１ｂを介して前後貼合片部２２ａ，２２ｂを連接している。
【００２４】
なお、前側面部５の上方から、前側面部５の右方・右側面部３・糊代片部１１・後側面部９・左側面部７・前側面部５の左方へと全側面部の中央を横切って、表からの上半切れ線２３と、裏からの下半切れ線２４が、本実施例の場合、１．５ｍｍの間隔Ｄ1
をおいて平行に切り込まれている。なお、開封始端部３０にも表からの前面半切れ線２３と、裏からの後面半切れ線２４が、１．５ｍｍの間隔Ｄ1をおいて平行に切り込まれている。上半切れ線２３と下半切れ線２４の間隔は、少なくとも１．０ｍｍ以上なければ輸送中の安全を保つことができず、また３．５ｍｍ以上であると剥離面が多くなるので、平滑な切断面が得られない。
【００２５】
組み立てに際しては、折目２１ａ，２１ｂは外側（図１では内側）に、その他の折目４，８，１２ｂ，１５，１７ｂ，１８ｃは内側（図１では外側）に折り曲げられる。そして、前後貼合片部２２ａ，２２ｂを、予め左右底面部１４ａ，１４ｂ側に貼り合わせて半製品の状態で工場に納入される。
【００２６】
工場での組み立てに際しては、折目６，１０を内側に折り曲げて、図２のように、前後係止底面部１６ａ，１６ｂを係止させて、左右底面部１４ａ，１４ｂとともに底面を密封し、ワンタッチで組み立てうるようになっている。本実施例の場合には、内部に商品として乾電池等の被包装物を収納し、左右フラップ部１３ａ，１３ｂ及び蓋面部１９を内側に折り曲げ、差込片部２０を前側面部５内に差込んで封緘し、店頭へと輸送される。
【００２７】
輸送された本発明の切目線で切断する紙器１は、店頭にて図３のように蓋面部１９と左右フラップ部１３ａ，１３ｂを開け、凹部３１に手をかけて開封始端部３０の表裏の上下半切れ線２３，２４に沿って捲って切除し、前側面部５の上方から、切目線からなる両半切れ線２３，２４を、各側面部５，３，９，７（糊代片部１１を含む）の全周側面部で、上下に２等分して切断開口し、切目線で開口させる紙器１の上半部２５を切除して取り除く。開口の切断面２７は、凹凸のない平滑な面が露出している。
【００２８】
上半部２５を切除した本発明の切目線で切断する紙器１は、図４のように下半部２６がトレーとなり、本実施例の場合、内部の商品である乾電池Ｃ1が、盛り上がった状態で展示される。そして開口の切断面２７は平滑なため、見栄えのよい展示箱となっている。
【００２９】
図５は、図４のトレー状下半部２６の切断面２７を示している。本実施例の場合、表側からの上半切れ線２３を上に、裏側からの下半切れ線２４がその下にある。そして切断に際しては、上半部２５を手前の表側Ｓ1に引っ張って切除する。従って、表側の上半切れ線２３は障害なく剥離するのに対し、裏側の下半切れ線２４は両半切れ線２３，２４の間隔に抗して層間剥離で切断される。この場合は、切断面２７の表側Ｓ1には、上半切れ線２３のみが表れる。従って、表側Ｓ1に印刷面Ｐ1があると、その印刷面Ｐ1
は切断面２７の端縁に至るまで全面に表れる。
【００３０】
上記実施例は、本発明の一例を示したにすぎない。例えば両半切れ線からなる切目線は、上下を２等分する平面状に限るものではなく、前面を低くした傾斜面にしたり、曲面にすることもできる。また開口も、各側面の全周にわたっての切断に限るものではなく、切断を前面と両側面だけにし、後面は切断しないで繋いでおくこともできる。
【００３１】
紙器も、六面体に限るものではない。また本発明では、上と下の半切れ線からなる切目線を、分かりやすく側面部で開放するとしたが、商品によっては、上下の半切れ線からなる切目線を、稜線や蓋面部に及ぶようにしてもよい。
【実施例２】
【００３２】
実施例２は、請求項２、請求項４、請求項９に関するものである。図６は、本発明の切目線で切断するシートの一実施例を示す正面図、図７は、図６の切抜き部分の切断面を示す拡大斜視図である。
【００３３】
本実施例の切目線で切断する方法の紙からなるシート１０１は、１．０ｍｍ以下の厚みのもので、切目線を介してキャラクタとして切り抜かれる切抜部分１２６と、分離して切り捨てられる切捨部分１２５とからなっている。その切目線は、表からの上半切れ線１２３を内周にし、裏からの下半切れ線１２４を外周にして、１．５ｍｍ間隔Ｄ2で平行に入れられている。
【００３４】
そして切断に際しては、切抜部分１２６を表側Ｓ2から押さえて切除するようにしてもよい。この場合は、表からの上半切れ線１２３及び裏からの下半切れ線１２４が、共に障害なく両半切れ線１２３，１２４間の間隔で、層間剥離にて切断される。そしてこの場合の切断面１２７は、下半切れ線１２４によって縁取りされる。従ってこの場合は、表側Ｓ2に印刷面Ｐ2があると、印刷面Ｐ2の上部は下半切れ線１２４によって縁取り１２８がなされた状態となる。
【００３５】
なお図７の裏面Ｂ2から剥がして、裏面Ｂ2を表にして使用する場合には、実施例１の図５と同様になって、請求項１、請求項３、請求項９に関するものとなる。
【実施例３】
【００３６】
実施例３は、請求項２、請求項４、請求項５、請求項８に関するものである。図８は、本発明の切目線で切断するプラスターの台紙からなるシートの切断状態を示す一実施例で、（イ）は切断前の背面図、（ロ）は切断過程の背面図、（ハ）は切断完了の背面図である。図９は、本発明の切目線で切断するプラスター台紙の背面に印刷を施した例で、（イ）は印刷の背面図、（ロ）は（イ）の円内とその周りを拡大した背面図である。
【００３７】
本実施例のプラスター台紙からなるシート２０１は、０．４０ｍｍの厚みのもので、背面の下端２２９から上部へ捲って切断する２本の半切れ線からなる切目線が付設されている。その切目線は、背面からの上半切れ線２２３を外周にし、反対の正面からの下半切れ線２２４を内周にして、３．０ｍｍ間隔Ｄ3で平行に入れられている。（ロ）から（ハ）の如く、切目線の上端２３２まで剥がしてゆけば、内部の被包装物（図示せず）は取り出すことができる。
【００３８】
これは切断に際して、背面からの上半切れ線２２３及び正面からの下半切れ線２２４が、共に障害なく、両半切れ線２２３，２２４間の間隔で剥離される。そして、この場合の切断面２２７は、下半切れ線２２４によって縁取りを残した状態のものとなる。
【００３９】
図９は、プラスター台紙の背面である表側Ｓ3に、商品説明等の印刷Ｐ3を施した例を示している。そして（ロ）の拡大図で分かるように、切断面２２７は印刷面Ｐ3にかかっている。しかし、本発明の方法による切断は、綺麗に直線状にカットされるので、例えばこの中の「３」の活字２３３は切断後であっても確認でき、「８」と見誤る恐れはない。しかし、従来のジッパーやミシンによるジグザグの切断面では、この「３」が「８」と見誤られる恐れがある。別の例をあげてみるならば、例えば「１．２」という印刷があり、その「．」の部分で切断されたと仮定すると、従来のジッパーやミシンによるジグザグの切断面では、「．」は恐らく確認できなくなり、「１２」と見誤られる恐れがある。これに対し、本発明の方法による切断では、切断面が綺麗な直線状になるので、この「．」は正確に確認できる筈であり、本発明の方法はこのような利点がある。
【実施例４】
【００４０】
実施例４は、請求項２、請求項４、請求項７に関するものである。図１０は、本発明の切目線で切断する紙器からなるティシュペーパー箱の一実施例で、（イ）は切断前の斜視図、（ロ）は切断過程の斜視図、（ハ）は切断完了後の分解斜視図である。
【００４１】
上部に、取出口となる楕円形の切目線が入ったティッシュペーパー箱は、現在広く出回っている。しかしその取出口には、通常スリットの入った透明シートが当てられている。これは、切目線によって切断した取出口の切断面が、ジグザクになるために、ティッシュが破れることも一因となっている。本発明の方法によって製造されるティッシュペーパー箱は、切目線による切断面が、平滑にカットされるので、そのような心配は解消される。
【００４２】
本実施例のティッシュペーパー箱３０１は、０．４５ｍｍの薄厚の紙からなっている。蓋３１９の中央には、楕円形の切目線が付設されている。切目線は、表からの上半切れ線３２３を外周に、また裏からの下半切れ線３２４を内周にして、３．０ｍｍ間隔Ｄ4で、２本の半切れ線が平行に入れられている。
【００４３】
図１０の（ロ）のように、楕円形の切捨部分３２５を摘んで剥がせば、（ハ）の如く、切捨部分３２５は切断して取り除くことができる。切捨部分３２５を取り除いた後の取出口３３４の切断面３２７は、内周の下半切れ線３２４によって、平滑に保たれる。そのため切捨部分３２５によって、取り出されるティッシュが破れる恐れはなく、取出口３３４も従来のような大きな楕円形にする必要もない。
【図面の簡単な説明】
【００４４】
【図１】本発明の切目線で切断する紙器の一実施例を示す展開図である。
【図２】本発明の切目線で切断する紙器の組み立てた状態を示す斜視図である。
【図３】本発明の切目線で切断する紙器の上半部を開口切断する過程を示す斜視図である。
【図４】本発明の切目線で切断する紙器をトレー状の下半部にて内部の商品を展示する状態を示す斜視図である。
【図５】図４のトレ−状下半部の切断面を示す拡大斜視図である。
【図６】本発明の切目線で切断するシートの一実施例を示す正面図である。
【図７】図６の切抜部分の切断面を示す拡大斜視図である。
【図８】本発明の切目線で切断するシートの他の実施例からなるプラスターの台紙の切断状態を示す実施例で、（イ）は切断前の背面図、（ロ）は切断過程の背面図、（ハ）は切断完了の背面図である。
【図９】本発明の切目線で切断するプラスター台紙の背面に印刷を施した例で、（イ ）は印刷の背面図、（ロ）は（イ）の円内とその周りを拡大した背面図である。
【図１０】本発明の切目線で切断する紙器からなるティッシュペーパー箱で、（イ）は切断前の斜視図、（ロ）は切断過程の斜視図、（ハ）は切断完了後の分解斜視図である。
【符号の説明】
【００４５】
１，３０１                    切目線で切断する紙器
１０１，２０１                切目線で切断するシート
２                           台紙
３                            右側面部
４，６，８，１０，１２ａ，ｂ  折目
１５，１７ａ，ｂ              折目
１８ａ，ｂ，ｃ，２１ａ，ｂ    折目
５                            前側面部
７                            左側面部
９                            後側面部
１１                          糊代片部
１３ａ，ｂ                    左右フラップ部
１４ａ，ｂ                    左右底面部
１６ａ，ｂ                    前後係止底面部
１９，３１９                  蓋面部
２０                          差込片部
２２ａ，ｂ                    前後貼合片部
２３，１２３，２２３，３２３  上半切れ線
２４，１２４，２２４，３２４  下半切れ線
２５                          上半部
１２５，３２５                切捨部分
２６                          下半部
１２６                        切抜部分
２７，１２７，３２７          切断面
１２８                        縁取り
２２９                        シートの下端
３０                          開封始端部
３１                          凹部
２３２                        切目線の上端
２３３                        活字
３３４                        取出口
Ｃ1                          被包装物
Ｄ1，Ｄ2                      間隔
Ｐ1，Ｐ2                      印刷面
Ｓ1，Ｓ2，Ｓ3                表側
Ｂ2                          裏側
【図１】
2008178970.tif 000003
【図２】
2008178970.tif 000004
【図３】
2008178970.tif 000005
【図４】
2008178970.tif 000006
【図５】
2008178970.tif 000007
【図６】
2008178970.tif 000008
【図７】
2008178970.tif 000009
【図８】
2008178970.tif 000010
【図９】
2008178970.tif 000011
【図１０】
2008178970.tif 000012